(57)【要約】【課題】オイルガードや燃料タンクの耐久性を向上させることができるとともに、エンジンを良好に冷却させることができるエンジン発電機を提供する。【解決手段】ケーシング１２の内部に、エンジン１３と該エンジン１３で駆動する発電機１４とを配置し、ケーシング１２の下部に、上部がケーシング内に開口し、内部に燃料タンク１７を収容したオイルガード１６を設ける。発電機１４の排気口１４ｂを下方に向けて開口するとともに、エンジン１３の下方に位置するオイルガード１６の開口を蓋部材１８で閉塞し、オイルガード１６の発電機１４の下方に排風導入用開口１９を、エンジン１３のラジエータファン１３ａの下方に排風導出用開口２０をそれぞれ形成する。【選択図】図１
2019190317.tif 000002
【特許請求の範囲】
【請求項１】
ケーシングの内部に、エンジンと該エンジンで駆動する発電機とを配置し、前記ケーシングの下部に、上部がケーシング内に開口し、内部に燃料タンクを収容したオイルガードを設けたエンジン発電機において、前記エンジンの下方に位置する前記オイルガードの開口を蓋部材で閉塞し、前記オイルガードの前記発電機に設けられた排気口の下方に排風導入用開口を、前記エンジンのラジエータファンの下方に排風導出用開口をそれぞれ形成したことを特徴とするエンジン発電機。
【請求項２】
前記発電機の前記排気口を下方に向けて開口させたことを特徴とする請求項１記載のエンジン発電機。
【発明の詳細な説明】
【技術分野】
【０００１】
本発明は、エンジン発電機に関し、詳しくは、エンジンや発電機を収納したケーシングの下部に、燃料タンクを収容したオイルガードを備えたエンジン発電機に関する。
【背景技術】
【０００２】
従来、エンジンによって発電機を駆動するエンジン発電機では、エンジンなどから漏れた燃料が周囲に流出することを防止するために、燃料タンクの下半部を囲むようにオイルガードが設けられている（例えば、特許文献１参照。）。
【先行技術文献】
【特許文献】
【０００３】
【特許文献１】特開２０１２−２１９７０５号公報
【発明の概要】
【発明が解決しようとする課題】
【０００４】
しかし、上述の特許文献１のものでは、定期的に行うメンテナンスで、オイルガード内に溜まる油分や水分を排出しても、僅かな水分や湿気がオイルガード内に溜まり、オイルガードや燃料タンクに錆が発生して劣化させる虞があった。また、エンジンに設けられたラジエータファンを作動させて、ケーシングの一側方に設けられた吸気口から外気を吸い込んでエンジンを冷却する際に、発電機の排風が吸気口から導入される外気の流れを妨げる虞があった。
【０００５】
そこで本発明は、オイルガードや燃料タンクの耐久性を向上させることができるエンジン発電機を提供することを目的としている。
【課題を解決するための手段】
【０００６】
上記目的を達成するため、本発明のエンジン発電機は、ケーシングの内部に、エンジンと該エンジンで駆動する発電機とを配置し、前記ケーシングの下部に、上部がケーシング内に開口し、内部に燃料タンクを収容したオイルガードを設けたエンジン発電機において、前記エンジンの下方に位置する前記オイルガードの開口を蓋部材で閉塞し、前記オイルガードの前記発電機に設けられた排気口の下方に排風導入用開口を、前記エンジンのラジエータファンの下方に排風導出用開口をそれぞれ形成したことを特徴としている。
【０００７】
また、前記発電機の前記排気口を下方に向けて開口させると好適である。
【発明の効果】
【０００８】
本発明のエンジン発電機によれば、発電機から排出される高温の排風は、排気口を介してオイルガードの排風導入用開口からオイルガード内に導入され、排風導出用開口から排出される流れを形成する。これにより、発電機からの排風で、オイルガードを乾燥させることができ、オイルガードや燃料タンクの耐久性を向上させることができる。
【０００９】
また、発電機の排気口を下方に向けて開口させたことにより、ラジエータファンを作動させて、ケーシングの一側方に設けられた吸気口から外気を吸い込んでエンジンを冷却する際に、発電機の排風が吸気口からの外気の流れを妨げる虞がなく、エンジンを効率よく冷却させることができる。
【図面の簡単な説明】
【００１０】
【図１】本発明の第１形態例を示すエンジン発電機の断面正面図である。
【図２】同じくエンジン発電機の断面側面図である。
【図３】本発明の第２形態例を示すエンジン発電機の断面正面図である。
【発明を実施するための形態】
【００１１】
図１及び図２は、本発明のエンジン発電機の第１形態例を示す図である。エンジン発電機１１は、防音構造を有する直方体状のケーシング１２の内部に、長手方向（図１において左右方向）の中央部にエンジン１３を配置し、該エンジン１３の一側方（図１において左側）に発電機１４を配置するとともに、エンジン１３の他側方（図１において右側）には排風室１５が設けられている。ケーシング１２の下部は、矩形状の枠体１２ａによって支持され、該枠体１２ａの下側に、エンジン１３から漏洩した燃料などの油分が外部に流出することを防止するためのオイルガード１６が一体的に設けられている。
【００１２】
ケーシング１２は、一側方に吸気口が設けられ、エンジン１３の他側方に設けられたラジエータファン１３ａを作動させることにより、吸気口から吸い込まれた外気Ｗ１がエンジンを冷却し、ラジエータを通って排風室１５から外部に排出される。
【００１３】
発電機１４は、筐体の一側方に吸気口１４ａとなる貫通孔が、他側方に排気口１４ｂとなる貫通孔がそれぞれ設けられ、排気口１４ｂとなる貫通孔は、筐体の下部に形成され、発電機からの排風Ｗ２が下方に向けて排出される。
【００１４】
オイルガード１６は、上部がケーシング内に開口した箱形に形成され、オイルガード１６の他側の内部に、複数の支持枠１６ａを介して燃料タンク１７が収容され、燃料タンク１７は、エンジン１３の下方から排風室１５に亘る大きさを備えている。また、オイルガード１６は、エンジン１３の下方に位置する開口に蓋部材１８が取り付けられ、発電機１４の排気口１４ｂの下方に位置する蓋部材１８の一側に排風導入用開口１９が、ラジエータファン１３ａの下方に位置する蓋部材１８の他側に排風導出用開口２０がそれぞれ形成される。また、オイルガード１６の排風導入用開口１９の一側部には、排風をオイルガード内にガイドするガイド板１６ｂが取り付けられている。
【００１５】
本形態例は、上述のように形成されることにより、発電機１４から排出される高温の排風Ｗ２は、下方に向けて開口した排気口１４ｂを介して下方に誘導され、オイルガード１６の排風導入用開口１９からオイルガード１６の内部に導入される。さらに、ラジエータファン１３ａの作動により、排風Ｗ２は燃料タンク１７とオイルガード１６の隙間を通って、排風導出用開口２０へ導かれ、排風導出用開口２０からラジエータを通って排風室１５に導入されて外部に排出される。
【００１６】
これにより、発電機１４からの高温の排風Ｗ２で、オイルガード１６を乾燥させることができ、オイルガード１６や燃料タンク１７の耐久性を向上させることができる。また、発電機１４からの排風Ｗ２を冷却した状態で外部に排出させることができる。さらに、ラジエータファン１３ａを作動させて、ケーシング１２の吸気口から外気Ｗ１を吸い込んでエンジン１３を冷却する際に、発電機１４の排風Ｗ２が外気Ｗ１の流れを妨げる虞がなく、エンジン１３を効率よく冷却させることができる。
【００１７】
図３は、本発明の第２形態例を示すもので、第１形態例と同様の構成要素を示すものには、同一の符号をそれぞれ付して、その詳細な説明は省略する。本形態例のオイルガード１６には、発電機１４の下方から排風室１５の下方に亘る大型の燃料タンク２１が収容されている。オイルガード１６の上部開口は、発電機１４の排気口１４ｂの下方に設けられる排風導入用開口１９と、ラジエータファン１３ａの下方に設けられる排風導出用開口２０を除いて、エンジン１３の下方と発電機１４の下方とが蓋部材２２，２２で覆われている。
【００１８】
なお、本発明は上述の各形態例のように、発電機の排気口となる貫通孔が、筐体の下部に形成され、発電機からの排風が下方に向けて排出されるものに限らず、排気口となる貫通孔を、筐体の全周に設けたものでも差し支えない。さらに、本発明は、エンジンの一側方に排風室を設け、エンジンの他側方に発電機を設けたものでもよい。また、ケーシング内に配置されるその他の機器の配置は任意である。
【符号の説明】
【００１９】
１１…エンジン発電機、１２…ケーシング、１２ａ…枠体、１３…エンジン、１３ａ…ラジエータファン、１４…発電機、１４ａ…吸気口、１４ｂ…排気口、１５…排風室、１６…オイルガード、１６ａ…支持枠、１６ｂ…ガイド板、１７…燃料タンク、１８…蓋部材、１９…排風導入用開口、２０…排風導出用開口、２１…燃料タンク、２２…蓋部材
【図１】
2019190317.tif 000003
【図２】
2019190317.tif 000004
【図３】
2019190317.tif 000005